(57)【要約】【課題】  筒状ランプを自転車へ固定及び取り外しする操作が容易にできるようにし、特にロックレバーの１操作でランプのアンロックと抜き止め解除を行う。【解決手段】  自転車部品(１)へ固定する固定具(２)と、固定具へ止められるホルダ(５)と、ホルダへ枢支されたロックレバー(７)とから構成され、ホルダ(５)に突設した一対の側板(53)(53)上に、ランプに対する把持部(51)の両端を連設し、側板間にランプの周溝(52)へ出没可能な可撓性ロック片(６)を具え、ロックレバーはロック片(６)に対向する押え片(73)を具え、ロックレバーとホルダ側板(53)との間に、重なりが可能なカム面(56)(72)を形成する。【選択図】    図１
2006051885.tif 000002
【特許請求の範囲】
【請求項１】
筒状ランプ(４)を着脱可能に把持し、固定具(２)によって該ランプ(４)を自転車部品へ固定する自転車用ランプ取付装置に於いて、固定具(２)へ取り付けられ又は固定具(２)と一体形成されたホルダ(５)と、該ホルダ(５)へ枢支されたロックレバー(７)とから構成され、ホルダ(５)は一対の側板(53)(53)を具え、該側板上にランプの筒部(41)を挿通する環状の把持部(51)の両端を連設し、側板間にランプの周溝(42)へ出没可能な可撓性ロック片(６)を具え、ロックレバー(７)はロック片(６)に形成された受け面(62)に対向する押え片(73)を具え、ロックレバー(７)とホルダ側板(53)との間には、互いに重なりが可能なカム面(56)(72)を形成し、
ロックレバー(７)がロック位置に向かう回動によって、押え片(73)はロック片(６)を解放してランプを抜け止めすると共に、ロックレバー及びホルダ側板間のカム面(56)(72)の重なりによって把持部(51)を締め、
ロックレバーがアンロック位置へ向う回動によって、押え片(73)はロック片(６)を下圧して、ランプ(４)に対する抜け止めを解除すると共に、カム面(56)(72)の重なりをずらして把持部(51)を緩める自転車用ランプ取付装置。
【請求項２】
ロック片(６)はランプの周溝に出没する掛り爪(61)を具え、該掛り爪(61)はランプ(４)が進入する側を傾斜面に形成している、請求項１に記載の装置。
【請求項３】
ロックレバー(７)はホルダ(５)の側板(53)(53)の間に枢支されている、請求項１又は２に記載の装置。
【請求項４】
固定具(２)とホルダ(５)は、一方にはフック状に伸びる係合部(55)、他方には該係合部に嵌まる係合受け部(25)を具え、固定具(２)に対しホルダ(５)は、係合部と係合受け部の嵌まりあいの余裕範囲で水平面内で回動可能な、請求項１乃至３のいずれかに記載の装置。
【請求項５】
固定具は、自転車部品を嵌める環状であって一部が割れた把持部(21)を具え、該把持部の両端にタブ(22)(23)をそれぞれ平行に突設し、該タブを貫通しロックレバー(７)の枢軸(75)にネジ(３)を螺合し、該ネジ(３)によって、把持部(21)を締めると共にホルダ(５)を固定具(２)へ固定する、請求項１乃至４の何れかに記載の装置。
【発明の詳細な説明】
【技術分野】
【０００１】
自転車部品に取り付けたホルダへ、円筒状ランプを着脱可能に取り付ける装置である。
【背景技術】
【０００２】
自転車の夜間走行に際して、円筒状ランプを自転車部品へ装着し、自転車駐輪時はランプの盗難を防止するため、ランプを自転車から外して保管することが行なわれている。そしてランプを自転車部品へ着脱可能に固定するための取付装置として、各種構造のものが提案されている。
特許文献１は、ランプに取付用枠を設けることが必要であり、ランプケースに機械加工を施さねばならない問題がある。
特許文献２は、ランプを二箇所でとめるため、着脱操作が面倒である。
【０００３】
【特許文献１】実公平４−５４０７０公報
【特許文献２】実公昭５７−４６２１７公報
【発明の開示】
【発明が解決しようとする課題】
【０００４】
ランプを取付装置へ装着する時の抜け止めとロック操作を容易にし、また、ランプの取外しに際して、ロック解除及び抜け止め解除を一動作で行える取付装置を明らかにするものである。
【課題を解決するための手段】
【０００５】
本発明は、筒状ランプ(４)を着脱可能に把持し、固定具(２)によって該ランプ(４)を自転車部品へ固定する自転車用ランプ取付装置に於いて、固定具(２)へ取り付けられ又は固定具(２)と一体形成されたホルダ(５)と、該ホルダ(５)へ枢支されたロックレバー(７)とから構成され、ホルダ(５)は一対の側板(53)(53)を具え、該側板上にランプの筒部(41)を挿通する環状の把持部(51)の両端を連設し、側板間にランプの周溝(42)へ出没可能な可撓性ロック片(６)を具え、ロックレバー(７)はロック片(６)に形成された受け面(62)に対向する押え片(73)を具え、ロックレバー(７)とホルダ側板(53)との間には、互いに重なりが可能なカム面(56)(72)を形成し、
ロックレバー(７)がロック位置に向かう回動によって、押え片(73)はロック片(６)を解放してランプを抜け止めすると共に、ロックレバー及びホルダ側板間に形成されたカム面(56)(72)との重なりによって把持部(51)を締め、
ロックレバーがアンロック位置へ向う回動によって、押え片(73)はロック片(６)を下圧して、ランプ(４)に対する抜け止めを解除すると共に、カム面(56)(72)の重なりをずらして把持部(51)を緩める自転車用ランプ取付装置である。
【発明の効果】
【０００６】
ランプをホルダへ装着する際、ランプの周溝がロック片(６)まで挿入されると、ロック片(６)は弾性復帰し、周溝(42)へカチッと音を立てて嵌合し、抜け止めとなる。ロックレバー(７)をロック位置へ回動すると、ロックレバー(７)とホルダ側板上のカム面(56)(72)が重なって把持部(51)を締め、ランプ(４)を固定する。
ロックレバー(７)をアンロック位置へ回動すると、カム面(56)(72)の重なりは外れて、ホルダ(５)の把持部(51)は緩められ、更にロックレバー先端の押え片(73)は、ロック片(６)の受け面(62)を下圧してランプの周溝(42)から外し、ランプの抜け止めを解除する。従ってランプは、ロックレバー(７)のアンロック動作で、直ちにホルダから取り出し可能となる。
【発明を実施するための最良の形態】
【０００７】
本発明の自転車用ランプ取付装置は、円筒状ランプ(４)がホルダ(５)の把持部(51)に挿入され、該ホルダを自転車のハンドル、前輪フォーク、前輪ハブ軸等の自転車部品(１）の形状に合わせて構成された固定具(２)に固定し、ホルダ(５)によるランプのロック及び抜け止めと、アンロック及び抜け止め解除を、ロックレバー(７)の簡単な操作によって行うものである。
【０００８】
固定具(２)は、自転車部品へ着脱可能に固定できるものであれば、任意の構造が使用できる。また、固定具(２)にホルダ(５)を取り付ける取付構造は、任意のものが用いられる。また、ホルダ(５)と固定具(２)を一体化してホルダ(５)の一部に固定具(２)を形成してもよい。
【０００９】
図面に示す固定具(２)は、自転車部品のハンドルパイプ(１)が嵌まるように、一部が割れて拡縮可能な環状の把持部(21)を具えており、把持部の割れた両端から一対のタブ(22)(23)を平行に突設し、タブに開設した貫通孔(24)にネジ(３)が通されている。上タブ(22)にホルダ(５)の取付部(58)が水平面内で回動可能に嵌まっており、さらに、ホルダのランプ支持部(52)にフック状の係合部(55)を形成し、該係合部(55)に対して、固定具(２)に突設した係合受け部(25)が嵌合する。
ホルダ(５)は、取付部(58)の両側に側板(53)(53)を突設し、側板間に円筒状ランプ(４)を載せる支持部(52)を具えると共に、側板上端にランプのほぼ全周を覆う環状の把持部(51)を形成している。
【００１０】
支持部(52)は、側板間に取付部(58)に向かって延びる屈曲可能なロック片(６)を突設しており、該ロック片(６)の基端部に、把持部(51)に嵌められるべきランプの周溝(42)に対応して、掛り爪(61)を突設すると共に、ロック片先端に受け面(62)を具えている。ロック片(６)は、受け面(62)の下圧によって弾性変形し、掛り爪(61)は、支持部(52)側の側面は傾斜面に形成されており、把持部(51)に嵌められているランプの周溝(42)に係脱可能である。
ホルダ(５)の側板(53)(53)の間には、ロックレバー(７)が嵌まり、取付部(58)上へ止められている。ロックレバー(７)は、中央部が平坦面に切削された金属製の丸軸(75)へ回転可能に嵌められている。該ロックレバー(７)は、枢軸(75)へ回転可能に支持され、一対の側壁(71)の間にロック片(６)の受け面(62)に向かって延びる押え片(73)を突設し、側壁(71)の円周上に突出部(72)を形成し、夫々ホルダ側板(53)の外側面に形成された隆起部(56)に対応し、突出部(72)と隆起部(56)によってカム面を構成している。さらに、側壁(71)の内面とホルダ側板の外側面との間に、夫々対応した突起(74)(57)を形成している。
【００１１】
ロックレバー(７)の枢軸(75)の平坦面中央にネジ孔(77)が形成されており、図２の如く、固定具(２)の上タブ(22)へホルダ(５)の取付部(58)を嵌めると、上下タブ(22)(23)の取付部の貫通孔(54)、枢軸のネジ孔(77)は一直線に揃うから、下タブ(23)の外方から、ネジ(３)を挿入し、つまみ(31)を締めることによって、ロックレバー(７)を取付部(58)上へ引き寄せて固定する。ロックレバー(７)は、図２に示されるように、枢軸(75)に対して自然状態では、実線の位置にあるが、ロック位置Ａ及びアンロック位置Ｂへ回動することができる。
ねじ(３)の締め付けを少し緩めると、固定具(２)の把持部(21)は、自転車部品(１)上で上下に回動可能となり、ホルダ(５)は係合部(55)、係合受け部(25)の嵌めあいの余裕範囲で水平面内で左右に回動可能となり、ランプ(４)の向きを調節できる。その後、ねじ(３)を締めて、ランプ(４)の向きを固定する。
【００１２】
次にランプの挿入とロック操作及びアンロック操作を説明する。
（ランプ挿入）
自転車部品(１)に固定されたホルダ(５)の把持部(51)へ支持部(52)側からランプの円筒部(41)を挿入する。ランプはロック片(６)の掛り爪(61)を押し下げながら進み、所定の挿入位置に達するとランプの大径部(43)の肩が、把持部入口に形成された段差(50)に当たって挿入が止まり、同時に掛り爪(61)は、ホルダの周溝(42)へカチッという装着感を伴って係合し、抜け止めが入る。
（ランプのロック）
ロックレバー(７)をロック位置(図２のＡ位置)へ反時計方向に回動する。ロックレバー(７)の側壁(71)の内側に形成した突起(74)は、ホルダ(５)の側板外面に形成された突起(57)を乗り越えてクリック感を生じ、同時にロックレバー側壁の周上に突設した突出部(72)は、ホルダ側板外面に形成された隆起部(56)上に乗り上げる。隆起部(56)と突出部(72)の重なりによって、ホルダの把持部(51)は側板(53)が内側へ弾性変形して間隔を狭め、ランプ(４)の円筒部をきつく締めてロックする。
（ランプのアンロックと取り出し）
ロックレバーをアンロック位置(図２のＢ位置)へ時計方向に回動させると、ロックレバー先端の押え片(73)は、ロック片(６)の受け面(62)を下圧して弾性変形させる。ロック片(６)の掛り爪(61)は、下方へ移動しランプ(４)の周溝(42)から外れて、ランプの抜け止めを解除する。
このとき同時に、ロックレバー側面の突起(74)は、ホルダ側板上の突起(57)を乗り越えて、クリック感を生じ、ロックレバー周上に形成された突出部(72)は、ホルダ側板上の隆起部(56)から外れて、ホルダ把持部(51)の締め付けを緩める。ロックレバー(7)のアンロック位置への回動によって、把持部(51)の緩めとロック片(６)の抜け止め解除の両方が同時に行われるから、ランプ(４)は把持部から簡単に抜き出すことができる。
【００１３】
図面の構成及び上記説明は本発明の理解を容易にするためのものであって、特許請求の範囲の記載範囲を限定するように解してはならない。
【図面の簡単な説明】
【００１４】
【図１】本発明に係る自転車用ランプ取付装置の正面図である。
【図２】取付装置を垂直面で破断した正面断面図である。
【図３】ホルダの一部を破断した斜視図である。
【図４】ホルダを垂直面で破断した正面断面図である。
【図５】ホルダ正面図である。
【図６】ロックレバー斜視図である。
【符号の説明】
【００１５】
(１)  自転車部品
(２)  固定具
(21)  把持部
(３)  ネジ
(４)  ランプ
(５)  ホルダ
(51)  把持部
(53)  側板
(６)  ロック片
(７)  ロックレバー
【図１】
2006051885.tif 000003
【図２】
2006051885.tif 000004
【図３】
2006051885.tif 000005
【図４】
2006051885.tif 000006
【図５】
2006051885.tif 000007
【図６】
2006051885.tif 000008